(57)【特許請求の範囲】
【請求項１】
ハウジング内に着脱されるカードの挿入及び排出方向にスライド移動可能なスライド部材と、このスライド部材をカードの排出方向へ付勢する復帰ばねと、この復帰ばねの付勢力に抗して前記スライド部材をカードが挿着された位置に保持するロック部材と、待機位置と押し込み位置との間を移動可能に配設され、押圧操作によって前記ロック部材のロックを解除して、前記スライド部材を前記カードの排出位置まで移動させるプッシュロッドと、このプッシュロッドを待機位置方向へ付勢するばね部材と、前記スライド部材に回動可能に支持されカードの挿入及び排出に伴って前記スライド部材と共に移動するとともにカードの挿入方向及び排出方向に回動してカードと係脱可能なイジェクトアームと、このイジェクトアームの一側部である上部係止面と係合してイジェクトアームのカードの挿入方向への回動動作を規制する回動規制部とを備え、前記回動規制部は、前記スライド部材の前記イジェクトアームが支持された開口部の上面側に設けられた壁部からなる第２の回動阻止部であり、前記イジェクトアームには、外方へ突出する当接突起を形成し、且つ、前記プッシュロッドには、カード挿着位置において前記イジェクトアームの当接突起と係合して、前記ばね部材の付勢力により前記イジェクトアームの一側部である上部係止面を前記第２の回動阻止部に当接するようにカードの挿入方向へ回動させる回動操作部を形成し、カード挿着位置において前記イジェクトアームの一側部である上部係止面が前記第２の回動阻止部と当接するように常時押圧されることで前記カードと前記イジェクトアームとの係合のがたつきを防止したことを特徴とするカード用コネクタ装置。
【発明の詳細な説明】
【０００１】
【発明の属する技術分野】
本発明は、パーソナルコンピュータなどの記憶媒体などに用いられるＩＣカードや、デジタルカメラなどの電子機器などに使用されるＣＦ（コンパクトフラッショ）カードなどに使用される、カード用コネクタ装置の構造に関する
【０００２】
【従来の技術】
パーソナルコンピュータの増設記録装置としてＩＣカード用コネクタが一般的に使用されている。このＩＣカード用コネクタの記憶媒体としてはＩＣカードが広く使用さるようになってきている。
【０００３】
このＩＣカードをＩＣカード用コネクタに挿着して必要な情報の書き込み、及び読み出しを行うが、このＩＣカードを着脱する場合に、その操作性を向上させるために、ＩＣカード用コネクタにはＩＣカードを排出する時の排出機構を備えたものがあり、また、ＩＣカードの挿着時にはＩＣカードを挿着位置にロックするロック部材が設けられている。
【０００４】
この従来のＩＣカード用コネクタの構造としては、ＩＣカードの着脱と共に挿入及び排出方向へ移動するスライド部材を備え、このスライド部材には、ＩＣカードの係合部と係合するイジェクトアームが回動可能に支持されたものとなっている。このイジェクトアームは、ＩＣカードの着脱に伴いその回動が規制されており、ＩＣカードの挿着時には、ＩＣカードが不用意にＩＣカード用コネクタから飛び出さないようにその回動が阻止され、挿入及び排出時には、ＩＣカードと係合及び離脱するようにその回動が可能となっている。
【０００５】
また、スライド部材をＩＣカードの挿着位置に保持させるロック部材と、このロック部材が解除された場合にはスライド部材を排出方向へ付勢するばね部材を設け、スライド部材の排出方向への移動に伴ってＩＣカードが排出される時、このばね部材の付勢力でＩＣカードが排出方向へ押し出される構造となったものが知られている。
【０００６】
【発明が解決しようとする課題】
しかしながら、上述した従来のＩＣカード用コネクタの構造においては、ＩＣカードの挿着位置ではスライド部材はロック部材に保持されており、イジェクトアームもその回動が規制されていることから、ＩＣカードが挿着された状態でＩＣカードを引き抜こうとした場合、イジェクトアームが回動しないためＩＣカードは抜けないものとなっている。しかしながら、イジェクトアームの回動を規制している規制部の壁面と、イジェクトアームの当接部との間には僅かに隙間があることから、挿着位置にあるＩＣカードが前後にがたつくため、接触が不安定になるという問題があった。
【０００７】
したがって、本発明では上述した問題点を解決し、カードが挿着された状態において、プッシュロッドを付勢しているばね部材の付勢力でイジェクトアームを回動規制部に押圧することにより、カードの前後方向のがたつきを防止すると共に、接点部の接触を安定させることができるカード用コネクタ装置を提供することを目的とする。
【０００８】
【課題を解決するための手段】
上記課題を解決するために本発明では第１の手段として、ハウジング内に着脱されるカードの挿入及び排出方向にスライド移動可能なスライド部材と、このスライド部材をカードの排出方向へ付勢する復帰ばねと、この復帰ばねの付勢力に抗して前記スライド部材をカードが挿着された位置に保持するロック部材と、待機位置と押し込み位置との間を移動可能に配設され、押圧操作によって前記ロック部材のロックを解除して、前記スライド部材を前記カードの排出位置まで移動させるプッシュロッドと、このプッシュロッドを待機位置方向へ付勢するばね部材と、前記スライド部材に回動可能に支持されカードの挿入及び排出に伴って前記スライド部材と共に移動するとともにカードの挿入方向及び排出方向に回動してカードと係脱可能なイジェクトアームと、このイジェクトアームの一側部である上部係止面と係合してイジェクトアームのカードの挿入方向への回動動作を規制する回動規制部とを備え、前記回動規制部は、前記スライド部材の前記イジェクトアームが支持された開口部の上面側に設けられた壁部からなる第２の回動阻止部であり、前記イジェクトアームには、外方へ突出する当接突起を形成し、且つ、前記プッシュロッドには、カード挿着位置において前記イジェクトアームの当接突起と係合して、前記ばね部材の付勢力により前記イジェクトアームの一側部である上部係止面を前記第２の回動阻止部に当接するようにカードの挿入方向へ回動させる回動操作部を形成し、カード挿着位置において前記イジェクトアームの一側部である上部係止面が前記第２の回動阻止部と当接するように常時押圧されることで前記カードと前記イジェクトアームとの係合のがたつきを防止したことを特徴とする。
【００１２】
【発明の実施の形態】
以下、本発明の１実施例を図１乃至図３５に示す。図１は本発明のカード用コネクタを示す平面図、図２は同じく正面図、図３はハウジングの平面図、図４は同じく正面図、図５はカードの平面図、図６は同じく底面図、図７はスライド部材の平面図、図８は同じく側面図、図９はイジェクトアームの平面図、図１０は同じく底面図、図１１はスライドユニットの平面図、図１２は同じく底面図、図１３はロック部材の平面図、図１４は同じく側面図、図１５及び図１６はロック部材とハウジングの取付関係図、図１７はスライドユニットをハウジングに取り付けた状態の関係図、図１８はプッシュロッドの平面図、図１９は同じく側面図、図２０はハウジングにプッシュロッドを取り付けた状態の関係図、図２１はカバーの平面図、図２２は同じく側面図、図２３はロック部材とカバーの取付関係図である。
【００１３】
図において、ハウジング１は、合成樹脂などの絶縁材で略方形に形成されており、このハウジング１には、内部に後述するＩＣカード３が挿入され収納される収納部１ａが設けられている。この収納部１ａの内底部には、導電性の金属材からなる複数の接触端子２ａが配設されており、この接触端子２ａの他端側は、前記ハウジング１の外方へ導出されて、図示しない外部の回路基板などの回路パターンと接続される接続端子２ｂが形成されている。また、前記ハウジング１の周面部には後述するカバー１０を係合する係合爪部１ｂが複数個設けられている。
【００１４】
前記ハウジング１の一端側には、前記収納部１ａに連設して、凹状の平坦部１ｃが設けられており、この平坦部１ｃに後述するスライド部材７が配設されるものとなっている。この平坦部１ｃの下端側には、後述するコイルばね８が収納される収納凹部１ｄが設けられており、これと対向する前記ハウジング１の上面側にはスライド部材７の復帰用の復帰ばね４を係止する係止凹部１ｅが設けられている。また、前記平坦部１ｃの上端側には、後述するロック部材５を係止する係止溝１ｆが設けられており、また、一側部には後述するプッシュロッド９をガイドするガイド壁１ｇが形成されたものとなっている。
【００１５】
前記平坦部１ｃの中央には、規制用壁部からなる回動規制部１ｈが突設されている。この回動規制部１ｈには、カードの挿入方向に並設された壁部からなる第１の回動阻止部１ｉと、この第１の回動阻止部１ｉの間に設けられた溝部からなる第１、及び第２の回動許容部１ｊ、１ｋが設けられている。
【００１６】
前記回動規制部１ｈの外周面である規制用壁部により、後述するスライド部材６に係合されたイジェクトアーム７に設けられたカムピン７ｄが案内誘導されて、このカムピン７ｄがスライド部材６の移動に伴って前記回動規制部１ｈの外周面である規制用壁部に沿って移動することにより、イジェクトアーム７の回動が規制されるものとなっている。
【００１７】
この場合、前記イジェクトアーム７の回動の規制を、前記ハウジング１に突出形成した規制用壁部からなる前記回動規制部１ｈに設けられた、壁部からなる前記第１の回動阻止部１ｉと、溝部からなる前記第１、第２の回動許容部１ｊ、１ｋとによって行うようにしたことから、複雑な制御機構を用いることなしに、簡易な構成で、カードの挿入、挿着、排出が確実に行えるものとなっている。
【００１８】
カード３は、内部に集積回路（ＩＣ）が収納されており、記録媒体として広く使用されているものである。このカード３の底面側には、その一端側に複数の接点部３ａが形成されており、この接点部３ａが前記ハウジング１の収納部１ａに設けられた複数の接触端子２ａと接触することにより、外部に接続された電子機器との種々の情報処理が行われるものとなっている。
また、前記カード３には、その一側部に、後述するイジェクトアーム７の第２のアーム部７ｂが係合される凹部３ｂが設けられている。
【００１９】
ロック部材５は合成樹脂などの絶縁材で形成されており、このロック部材５の略中央には、前記ハウジング１の係止溝１ｆに係止される一対の係止軸５ａが形成されている。また、中央から延設された係止腕部５ｂの先端部には、後述するスライド部材６に係脱可能なフック状の係止部５ｃが形成されている。この係止部５ｃの先端側には傾斜部５ｄが設けられており、この傾斜部５ｄに後述するプッシュロッド９の解除操作部９ｃが当接することにより、前記係止部５ｃが前記係止軸５ａを支点として回動するようになっている。
この場合、前記ロック部材５の回動方向は、前記ハウジング１内に着脱される前記カード３の平坦面に直交する方向（上下方向）へ回動可能なように配設されるものとなっている。このため、左右方向への回動スペースを必要としないことから、前記ハウジング１の幅寸法を小さくすることが可能となっている。
【００２０】
スライド部材６は合成樹脂などの絶縁材で形成されており、このスライド部材６の一端側には前記ロック部材５の係止部５ｃと係合される係合突部６ａを有する係合腕部６ｂが設けられている。また、この係止腕部６ｂと並設して、前記ハウジング１に係止される前記復帰ばね４の一端側が係止される係止軸６ｃが形成されている。この係止軸６ｃと対向する他端側には、後述するプッシュロッド９のストッパー部９ｅと当接される幅広の平面からなるストッパー面６ｄが形成されており、更に、このストッパー面６ｄには突出した停止突部６ｅが設けられている。この停止突部６ｅの端部が、前記ハウジング１の前記収納凹部１ｄに収納される後述するコイルばね８に当接するように配設されるものとなっている。
【００２１】
また、前記スライド部材６の略中央部には開口部６ｆが設けられており、この開口部６ｆの中央には、後述するイジェクトアーム７が回動可能に取り付けられる軸部６ｇが突出して設けられている。また、前記開口部６ｆの上面側には壁部が形成され、この壁部が後述するイジェクトアーム７の一側部と当接して、イジェクトアーム７のカードの挿入方向への回動の規制を行う第２の回動阻止部６ｈとなっている。
前記スライド部材６は、前記ハウジング１の平坦部１ｃ内に配設され、前記復帰ばね４に付勢されながら、前記ハウジング１内を上下方向、即ち前記カード３の挿入、排出方向へ移動可能となるように取り付けられるものとなっている。
【００２２】
イジェクトアーム７は、合成樹脂などの絶縁材で略Ｕ字状に形成されており、このイジェクトアーム７には、基部から外方へ延出された、第１及び第２のアーム部７ａ、７ｂが形成されている。この第１のアーム部７ａは、前記カード３の挿入時に、前記カード３の前端部に係合されるように設けられている。また、前記第２のアーム部７ｂは、その先端部の形状が略円弧状とされており、前記カード３の一側部に形成された凹部３ｂと係合され、この凹部３ｂ内を回動しながら係脱されるように設けられている。
【００２３】
前記イジェクトアーム７には、その中央部に、軸孔７ｃが設けられており、この軸孔７ｃが、前記スライド部材６に形成された前記軸部６ｇに挿通されることにより、前記イジェクトアーム７は、前記軸部６ｇの回りに回動可能となるように取付けられるものとなっている。また、前記イジェクトアーム７の一側面部には、前記ハウジング１に設けられた前記回動規制部１ｈの規制用壁部に沿って移動するピン状のカムピン７ｄが設けられている。また、前記第１及び第２のアーム部７ａ、７ｂが延出された側とは反対側の基部には、当接突起７ｅが突設されており、この当接突起７ｅが後述するプッシュロッド９の回動操作部９ｇに係合されて、前記第２のアーム部７ｂがカードの挿入方向へ付勢されるものとなっている。
【００２４】
図１１、１２は前記スライド部材６に前記イジェクトアーム７が取り付けられて、スライドユニットとされた状態を示している。
このスライドユニットが前記ハウジング１に取り付けられるものとなっており、この場合、前記カード３の挿入及び排出に伴って、前記イジェクトアーム７は、前記ハウジングに設けられた第１の回動阻止部１ｉに前記カムピン７ｄが当接することによりカードの排出方向への回動が規制されるものとなっている。また、前記スライド部材６の前記開口部６ｆの上面側に設けられた第２の回動阻止部６ｈに前記イジェクトアーム７の一側部である上部係止面７ｆが当接することによりカードの挿入方向への回動が規制されるものとなっている。
【００２５】
前記イジェクトアーム７は、カードの挿着時及びカードの排出時には、前記カムピン７ｄが前記第１の回動阻止部１ｉによりカードの排出方向への回動が規制されていることから、前記カード３は前記第２のアーム部７ｂからはずれることがなく、したがって前記ハウジング１から飛び出すことはない。また、カードの挿着時には、前記イジェクトアームの上部係止面７ｆが、前記プッシュロッド９の前記回動操作部によって前記第２の回動阻止部６ｈに付勢されていることから、前記イジェクトアーム７のがたの発生がなく、前記カード３が前後にがたつくことを防止すると共に、前記カード３の接点部３ａと前記接触端子２ａとの接触を確実なものにすることができる。特に、前記接触端子２ａの長さがそれぞれ異なるような、前記カード３の接点部３ａの接続シーケンスを必要とする構成のものにおいては有効となるものである。また、前記カード３の突出寸法を少なくすることが可能になっている。
【００２６】
コイルばね８は、金属線材からなるばね部材で、前記ハウジング１の係止凹部１ｄに収納され、前記スライド部材６がカードの排出方向に移動した時、前記復帰ばね４の付勢力に抗して前記スライド部材６をカードの排出位置に位置決めするように形成されている。
また、前記スライド部材６を挿入方向へ付勢する付勢部材としての役目と、後述するプッシュロッド９を押し込み位置から待機位置に復帰させる役目とを兼ね備えたものとなっている。
【００２７】
プッシュロッド９は、薄板状の金属板を折り曲げて形成されており、方形状の基板部９ａと、直角に折り曲げられ、この基板部９ａから一端側に薄板状に細長く延設された側板部９ｂとから形成されている。前記側板部９ｂの延設された先端には、前記ロック部材５の前記係止部５ｃの先端に設けられた傾斜部５ｄに当接して、前記ロック部材５を回動させる解除操作部９ｃが形成されている。
また、前記基板部９ａには、人間の指などで押圧操作される押釦９ｄが取り付けられており、この押釦９ｄの取付側とは反対側には、幅広の平面からなるストッパー部９ｅが設けられている。このストッパー部９ｅに前記スライド部材６のストッパー面６ｄが当接することで前記スライド部材６の移動が規制されるものとなっている。
【００２８】
また、前記側板部９ｂには、細長状の切り欠き部９ｆが設けられており、この切り欠き部９ｆ内を、前記イジェクトアーム７の当接突起７ｅが移動するものとなっている。この切り欠き部９ｆのカードの挿入方向の一端側が前記当接突起７ｅと当接して前記イジェクトアーム７の回動を規制する回動操作部９ｇとなっている。
また、前記プッシュロッド９は、前記スライド部材６と共に前記ハウジング１に組み込まれ、前記側板部９ｂが前記ハウジング１に設けられた前記ガイド壁１ｇにガイドされることで、前記ハウジング１内を移動するように配設されている。
【００２９】
カバー１０は、金属性の板材から形成されており、このカバー１０には平板状の上板部１０ａと、この上板部１０ａから直角に折り曲げられ、前記ハウジング１の係合爪部１ｂに係合される複数の係止窓部１０ｂを有する横板部１０ｃ、１０ｃが形成されている。前記カバー１０は、前記ハウジング１の開口部を覆うように前記ハウジング１の上面側に取り付けられるものとなっている。
また、前記カバーの上板部１０ａには、切り起こすことによりばね片１０ｄが設けられており、このばね片１０ｄが前記ロック部材５の係止腕部５ｂに当接されて、前記係止部５ｃを前記スライド部材６の係合突部６ａ側へ付勢している。このため、前記ロック部材５の付勢用としてのばね部材を別途設ける必要がないことから、部品点数の削減、及び前記ハウジング１の小型化が図れるものとなる。
【００３０】
次に、上述したカード用コネクタ装置の通常の動作を図２４乃至図３４で説明する。図２４乃至図３４は、本発明のカード用コネクタ装置の挿入／排出時の動作状態を示す簡易説明図で、図２４はハウジングにカードを挿入する初期の状態を示す説明図、図２５はカードの挿入途上の状態を示す説明図、図２６は同じくカードの挿入途上でスライド部材がロック部材と係合する直前の状態を示す説明図、図２７はカードの挿入が終了した状態を示す説明図、図２８は同じくカードの挿入終了時でスライド部材がロックされた状態を示す説明図、図２９はスライド部材がロックされた状態のロック部材とプッシュロッドの関係を示す説明図、図３０はプッシュロッドを押圧してスライド部材のロックを解除した状態を示す説明図、図３１はロックされたスライド部材を解除しカードが排出位置まで排出された状態を示す説明図、図３２はカードの排出位置からカードを手前に引いた状態を示す説明図、図３３はカードの排出途上でイジェクトアームが排出方向へ回動する状態を示す説明図、図３４はカードと第２のアーム部との係合が外れてカードを排出する状態を示す説明図である。
尚、図においてはロック部材とスライド部材、及びロック部材とプッシュロッドの係合／解除の状態を分かりやすくするために部分的に側面図で示している。
【００３１】
まず、前記ハウジング１の収納部１ａに前記カード３を挿入する。この時、前記イジェクトアーム７の前記第１のアーム部７ａが前記カード３の前端部に当接し、前記第１のアーム部７ａはカードの挿入方向に押圧されることになる。（図２４）
【００３２】
この時、前記イジェクトアーム７のカムピン７ｄは、前記ハウジング１の前記回動規制部１ｈによりその動きが規制されていることから、前記第１のアーム部７ａはカードの挿入方向へは回動されずに、前記スライド部材６は前記復帰ばね４の付勢力に抗してカードの挿入方向へ移動する。この時、前記イジェクトアーム７に設けられた前記カムピン７ｄが前記ハウジング１に設けられた前記回動規制部１ｈの規制用壁部に沿って移動することなり、前記第１の回動許容部１ｊに案内されて前記イジェクトアーム７はカードの挿入方向へ規制された状態で一定距離だけ回動する。（図２５）
【００３３】
更に、前記復帰ばね４の付勢力に抗して前記カード３を挿入方向に押圧すると、前記スライド部材６はカードの挿入方向へ移動し、前記カムピン７ｄが、前記回動規制部１ｈの規制用壁部から外れて、前記イジェクトアーム７はカードの挿入方向へ一定距離だけ回動する。この時、前記イジェクトアーム７の一側部である上面が前記スライド部材６の開口部６ｆの上面側の壁部である第２の回動阻止部６ｈに当接する。この回動により前記第２のアーム部７ｂが前記カード３の凹部３ｂに係合する。また、前記当接突起７ｅが前記プッシュロッド９の回動操作部９ｇに係合された状態となる。この時、前記カード３の前記接点部３ａは前記ハウジング１の接触端子２ａと接触され、また、前記ロック部材５は前記スライド部材６と当接され、前記スライド部材６の移動に伴い前記係合突部６ａが前記ロック部材５の傾斜部５ｄを押圧することにより、前記ロック部材５が側面図で示す時計回りに若干回動する。（図２６）
【００３４】
次に、更に前記カード３を挿入方向に押圧すると、前記スライド部材６はカードの挿入方向へ移動し、前記カード３が前記ハウジング１の収納部１ａの内縁部に当接した時点で挿入が停止され、前記カード３の前記ハウジング１への挿着が完了する。これに伴い前記スライド部材６及び前記イジェクトアーム７の移動も停止される。この時、前記ロック部材５の係止腕部５ｂは前記カバー１０に設けられたばね片１０ｄによって前記スライド部材６の係合腕部６ｂ側へ付勢されていることから、前記係合突部６ａが前記傾斜部５ｂから外れた時点で前記ロック部材５は側面図で示す反時計方向へ回動されるため、前記ロック部材５の前記係止部５ｃは前記スライド部材６の前記係合突部６ａと確実に対峙された状態となる。この時、前記プッシュロッド９は、前記ばね部材８の付勢力に抗して前記スライド部材６及び前記イジェクトアーム７と共にカードの挿入方向へ若干移動するものとなる。（図２７）
【００３５】
次に、前記カード３への押圧を解除すると、前記スライド部材６は前記復帰ばね４の付勢力により、カードの排出方向へ僅かだけ戻され、この時、前記係合突部６ａが前記ロック部材５の前記係止部５ｃと係合することでその位置に前記スライド部材６がロックされる。（図２８）
【００３６】
この時、前記イジェクトアーム７は、前記当接突起７ｅが前記プッシュロッド９の回動操作部９ｇに当接されており、前記プッシュロッド９を待機位置へ復帰させる前記ばね部材８の付勢力によって、前記イジェクトアーム７はカードの挿入方向へ回動するように付勢されていることから、前記イジェクトアーム７の一側部である上部係止面７ｆが、前記スライド部材６の開口部６ｆの上面側の壁部である第２の回動阻止部６ｈに当接するように常時押圧されるため、前記カード３の凹部３ｂと係合される前記第２のアーム部７ｂのがたつきの発生を防止し、カード３の前後方向へのがたつきを抑えることができる。
【００３７】
次に、前記ハウジング１に挿着した前記カード３を排出する場合には、前記カード３の挿着状態（図２９）から、待機位置にある前記プッシュロッド９の押釦９ｄを、前記コイルばね８の付勢力に抗して指などで押圧して、前記プッシュロッド９をカードの挿入方向へ押し込み位置まで移動させると、前記解除操作部９ｃが前記ロック部材５の傾斜部５ｄを押圧することにより、前記ロック部材５の係止腕部５ｂが側面図に示す時計方向へ回動され、前記ロック部材５の前記係止部５ｃが前記スライド部材６の係合突部６ａから外れた状態となる。（図３０）
【００３８】
そして、前記スライド部材６は前記復帰ばね４の付勢力によりカードの排出方向へと移動される。この時、前記プッシュロッド９の解除操作部９ｃは、金属板を折り曲げて一端側に薄板状に細長く延設された側板部９ｂに形成されていることから、前記スライド部材６の移動を妨げないように配設することが可能となっている。また、配設に場所を取らないことから前記ハウジング１の幅寸法を小さく形成することができる。
【００３９】
前記スライド部材６がカードの排出方向へ移動するのに伴い、前記イジェクトアーム７はその回動が規制された状態で、前記スライド部材６と共にカードの排出方向へ移動する。そして、前記コイルばね８の端部に前記スライド部材６の停止突部６ｅの後端部が当接することにより、前記スライド部材６の移動が停止され、前記カード３は排出位置に停止されるものとなる。
この時、前記プッシュロッド９の基板部９ａには幅広の平面からなる前記ストッパー部９ｅが設けられており、押し込み位置では、このストッパー部９ｅに、カードの排出方向へ移動された前記スライド部材６の一端側に設けられた前記ストッパー面６ｄが当接することにより、確実に、前記スライド部材６の移動が停止され、前記カード３は排出位置に停止されるものとなる。この時、前記カード３の前記接点部３ａは前記ハウジング１の接触端子２ａとの接触が解除される。（図３１）
【００４０】
この場合、前記カード３は、前記凹部３ｂが前記第２のアーム部７ｂに係合されており、前記カムピン７ｄは前記回動規制部１ｈの規制用壁部に当接されてその回動が規制されていることから、前記カード３が前記ハウジング１の収納部１ａから飛び出すことを防止することができる。
【００４１】
次に、前記プッシュロッド９の押圧を解除すると、前記プッシュロッド９は前記コイルばね８の付勢力によって初期の待機位置へと復帰する。この時、前記スライド部材６のストッパー面６ｄと、前記プッシュロッド９のストッパー部９ｅとの当接が解除され、前記スライド部材６は、カードの排出方向への移動が可能な状態となる。
この状態から、指などによって前記カード３を引き出すと、前記スライド部材６は前記コイルばね８の付勢力に抗して手前側に移動し、前記カムピン７ｄは前記回動規制部１ｈのカム壁から外れる方向に移動し、前記イジェクトアーム７はカードの排出方向へ回動が可能な状態となる。（図３２）
【００４２】
更に、この状態から前記カード３を引き出すと、前記スライド部材６は前記コイルばね８が撓むことによりカードの排出方向へと移動する。この時、前記カムン７ｄが前記第２の回動許容部１ｋに案内されて前記イジェクトアーム７は、前記カード３の排出方向へ回動することが可能となる。（図３３）
【００４３】
更に、前記イジェクトアーム７のカードの排出方向への回動に伴って、前記第２のアーム部７ｂは、前記カード３の前記凹部３ｂとの係合が外れることとなり、前記カード３は前記ハウジング１の前記収納部１ａから排出される。（図３４）
そして、前記カード３が排出されると、前記スライド部材６は、前記コイルばね８の付勢力でカードの挿入方向へ移動し、初期の状態（図２４）に戻るものとなる。
【００４４】
上記実施例では、ハウジング１内に着脱されるカード３の挿入及び排出方向にスライド移動可能なスライド部材６のロックを解除させるプッシュロッド９と、前記スライド部材６に回動可能に支持されカード３の挿入及び排出に伴ってカード３と係脱可能なイジェクトアーム７と、このイジェクトアーム７の回動動作を規制する回動規制部１ｈとを備え、前記イジェクトアーム７には、外方へ突出する当接突起７ｅを形成し、且つ、前記プッシュロッド９には、カード挿着位置にある前記イジェクトアーム７の当接突起７ｅと係合して、前記イジェクトアーム７のカムピン７ｄ又は一側部を前記回動規制部１ｈに当接する方向へ回動させる回動操作部９ｇを形成したことから、前記カード３の凹部３ｂと係合される前記第２のアーム部７ｂのがたつきの発生を防止し、カード３の前後方向へのがたつきを抑えることができると共に、前記接点部３ａと前記接触端子２ａの接触を安定させることができるものとなっている。
【００４５】
【発明の効果】
以上説明したように、本発明のカード用コネクタ装置は、スライド部材のロックを解除させるプッシュロッドと、スライド部材に回動可能に支持されたカードと係脱可能なイジェクトアームと、このイジェクトアームの回動動作を規制する回動規制部とを備え、回動規制部は、スライド部材のイジェクトアームが支持された開口部の上面側に設けられた壁部からなる第２の回動阻止部であり、イジェクトアームには、外方へ突出する当接突起を形成し、且つ、プッシュロッドには、カード挿着位置においてイジェクトアームの当接突起と係合して、イジェクトアームの一側部である上部係止面を第２の回動阻止部に当接するようにカードの挿入方向へ回動させる回動操作部を形成し、カード挿着位置においてイジェクトアームの一側部である上部係止面が第２の回動阻止部と当接するように常時押圧されることでカードとイジェクトアームとの係合のがたつきを防止したことから、カードの凹部と係合される第２のアーム部のがたつきの発生を防止し、カードの前後方向へのがたつきを抑えることができると共に、接点部と接触端子の接触を安定させることができる。
【００４６】
また、前記回動規制部は、スライド部材のイジェクトアームが支持された開口部の上面側に設けられた壁部からなる第２の回動阻止部であることから、複雑な制御機構を用いることなしに、簡易な構成で、挿着位置にあるカードのがたつきを防止することができる。
【図面の簡単な説明】
【図１】本発明の１実施例であるカード用コネクタ装置を示す平面図である。
【図２】本発明の同じくカード用コネクタ装置を示す正面図である。
【図３】本発明の同じくハウジングを示す平面図である。
【図４】本発明の同じくハウジングを示す正面図である。
【図５】本発明の同じくカードを示す平面図である。
【図６】本発明の同じくカードを示す底面図である。
【図７】本発明の同じくスライド部材を示す平面図である。
【図８】本発明の同じくスライド部材を示す側面図である。
【図９】本発明の同じくイジェクトアームを示す平面図である。
【図１０】本発明の同じくイジェクトアームを示す底面図である。
【図１１】本発明の同じくスライドユニットを示す平面図である。
【図１２】本発明の同じくスライドユニットを示す底面図である。
【図１３】本発明の同じくロック部材を示す平面図である。
【図１４】本発明の同じくロック部材を示す側面図である。
【図１５】本発明の同じくロック部材とハウジングの取り付け状態を示す関係図である。
【図１６】本発明の同じくロック部材とハウジングの取り付け状態を示す関係図である。
【図１７】本発明の同じくスライドユニットをハウジングに取り付けた状態を示す関係図である。
【図１８】本発明の同じくプッシュロッドを示す平面図である。
【図１９】本発明の同じくプッシュロッドを示す側面図である。
【図２０】本発明の同じくハウジングにプッシュロッドを取り付けた状態を示す関係図である。
【図２１】本発明の同じくカバーを示す平面図である。
【図２２】本発明の同じくカバーを示す側面図である。
【図２３】本発明の同じくロック部材とカバーの取り付け状態を示す関係図である。
【図２４】本発明のハウジングにカードを挿入する初期の状態を示す説明図である。
【図２５】本発明のカードの挿入途上の状態を示す説明図である。
【図２６】本発明の同じくカードの挿入途上でスライド部材がロック部材と係合する直前の状態を示す説明図である。
【図２７】本発明のカードの挿入が終了した状態を示す説明図である。
【図２８】本発明の同じくカードの挿入終了時でスライド部材がロックされた状態を示す説明図である。
【図２９】本発明のスライド部材がロックされた状態のロック部材とプッシュロッドの関係を示す説明図である。
【図３０】本発明のプッシュロッドを押圧してスライド部材のロックを解除した状態を示す説明図である。
【図３１】本発明のロックされたスライド部材を解除しカードが排出位置まで排出された状態を示す説明図である。
【図３２】本発明のカードの排出位置からカードを手前に引いた状態を示す説明図である。
【図３３】本発明のカードの排出途上でイジェクトアームが排出方向へ回動する状態を示す説明図である。
【図３４】本発明のカードと第２のアーム部との係合が外れてカードを排出する状態を示す説明図である。
【符号の説明】
１  ハウジング
１ａ  収納部
１ｂ  係止爪部
１ｃ  平坦部
１ｄ  収納凹部
１ｅ  係止凹部
１ｆ  係止溝
１ｇ  ガイド壁
１ｈ  回動規制部
１ｉ  第１の回動阻止部
１ｊ  第１の回動許容部
１ｋ  第２の回動許容部
２ａ  接触端子
２ｂ  接続端子
３  カード
３ａ  接点部
３ｂ  凹部
４  復帰ばね
５  ロック部材
５ａ  係止軸
５ｂ  係止腕部
５ｃ  係止部
５ｄ  傾斜部
６  スライド部材
６ａ  係合突部
６ｂ  係合腕部
６ｃ  係止軸
６ｄ  ストッパー面
６ｅ  係止突部
６ｆ  開口部
６ｇ  軸部
６ｈ  第２の回動阻止部
７  イジェクトアーム
７ａ  第１のアーム部
７ｂ  第２のアーム部
７ｃ  軸孔
７ｄ  カムピン
７ｅ  当接突起
７ｆ  上部係止面（一側部）
８  コイルばね
９  プッシュロッド
９ａ  基板部
９ｂ  側板部
９ｃ  解除操作部
９ｄ  押釦
９ｅ  ストッパー部
９ｆ  切り欠き部
９ｇ  回動操作部
１０  カバー
１０ａ  上板部
１０ｂ  係止窓部
１０ｃ  横板部
１０ｄ  ばね片
【図１】
0003887153.tif 000002
【図２】
0003887153.tif 000003
【図３】
0003887153.tif 000004
【図４】
0003887153.tif 000005
【図５】
0003887153.tif 000006
【図６】
0003887153.tif 000007
【図７】
0003887153.tif 000008
【図８】
0003887153.tif 000009
【図９】
0003887153.tif 000010
【図１０】
0003887153.tif 000011
【図１１】
0003887153.tif 000012
【図１２】
0003887153.tif 000013
【図１３】
0003887153.tif 000014
【図１４】
0003887153.tif 000015
【図１５】
0003887153.tif 000016
【図１６】
0003887153.tif 000017
【図１７】
0003887153.tif 000018
【図１８】
0003887153.tif 000019
【図１９】
0003887153.tif 000020
【図２０】
0003887153.tif 000021
【図２１】
0003887153.tif 000022
【図２２】
0003887153.tif 000023
【図２３】
0003887153.tif 000024
【図２４】
0003887153.tif 000025
【図２５】
0003887153.tif 000026
【図２６】
0003887153.tif 000027
【図２７】
0003887153.tif 000028
【図２８】
0003887153.tif 000029
【図２９】
0003887153.tif 000030
【図３０】
0003887153.tif 000031
【図３１】
0003887153.tif 000032
【図３２】
0003887153.tif 000033
【図３３】
0003887153.tif 000034
【図３４】
0003887153.tif 000035